(57)【要約】      （修正有）【課題】表紙体や書類等の変形を少なくする位置に綴じ具を備えたファイルを提供する。書類等を綴じたファイルを書棚等に並べて立てて置くと、書類等が捩れたような変形をする。またファイルの表紙体は綴じ側から開き側に向かって「ハ」の字形に開き、表紙体の開き側は円弧状に面外に曲がる。この変形歪は殆ど半永久的な癖といってもよく、これを改めて平らに直すことは容易ではない。【解決手段】綴じ具１２として、綴じ棒１３を通すパイプと綴じ棒とを備えた二穴式のＡ４Ｓ形またはＢ５Ｓ形ファイルにおいて、綴じ具中心を表紙体１０の高さ中央位置から３ｍｍ乃至２ｍｍ下げた位置に綴じ具を備えてファイルを形成する。【選択図】図６
0003175121.tif 000002
【実用新案登録請求の範囲】
【請求項１】
綴じ具として、綴じ棒を通すパイプと綴じ棒とを備えた二穴式のＡ４Ｓ形またはＢ５Ｓ形ファイルにおいて、綴じ具中心を表紙体の高さ中央位置から３ｍｍ乃至２ｍｍ下げた位置に綴じ具を備えたことを特徴とする綴じ具を備えたファイル
【考案の詳細な説明】
【技術分野】
【０００１】
ファイルまたはバインダー（以後はファイルと記す）に収納された書類等とその表紙体が、長時間経過すると、奇妙な曲がり癖がつく（一例として図7（イ））。本考案はこれ
を綴じ具の位置により極力少なくする技術に関する。
【背景技術】
【０００２】
従来、書類等を保存するときに既製品のファイルを使用するが、このファイルを書
棚等に並べて立てて置くと、書類等が捩れたような変形をする。またファイルの表
紙体は綴じ側から開き側に向かって「ハ」の字形に開き、表紙体１０の開き側（図１）は円弧状に面外に曲がる。この変形歪は殆ど半永久的な癖といってもよく、これを改めて平らに直すことは容易ではない。
【０００３】
表紙体及び書類等の変形は、書類の目方を表紙体と書類自身に如何に分けて棚板に伝えるか、に関わっている。
【０００４】
表紙体の変形問題を、表紙のそり問題と捉え、湿気対策を提案されている発明があ
る（特許文献1）。この現象は横長ファイル（横長表紙体）において顕著であるという。
【０００５】
綴じられた書類の変形を防ぐための発明はこの他にもある。すなわち
（イ）表紙体に保持板を取り付けた工夫（特許文献２）
（ロ）表紙体に上壁および先端壁を取り付けた工夫（特許文献３）
（ハ）表紙体に保持具を取り付けずり落ちを防ぐ工夫（特許文献４）
（ニ）表紙体に間隔保持手段を設けた工夫（特許文献５）
（ホ）薄い書類が撓まないように支持をする工夫（特許文献６）
（ヘ）紙葉支持部を備えた工夫（特許文献７）
（ト）寸法の異なる用紙類を一つのファイルに綴じこむ工夫（特許文献８）
【先行技術文献】
【特許文献】
【０００６】
【特許文献１】特開２００５−１３８３０２
【特許文献２】実開昭５５−２９２０４
【特許文献３】国際公開ＷＯ９６/０７５４９
【特許文献４】特開２００１−１３８６７６
【特許文献５】特開２００６−９５８２６
【特許文献６】特開２００９−９９１
【特許文献７】特開２０１０−５８３２１
【特許文献８】特開２００２−１３７５８５
【考案の概要】
【考案が解決しようとする課題】
【０００７】
従来より、次のような問題点があった。
（イ）書類をファイルに保存するのは再度活用の必要があるためである。しかしながら、このファイルを書棚等にたてておくと、時間経過とともに書類の開き側下方が巻き込むように曲がり、捩れ変形を起こす。又は、一方向に寄りかかるように下部が曲がる。これに伴い、表紙体も変形を起こす。これらの変形は直すことが容易ではない。
（ロ）曲がり癖の付いた書類は扱いにくい為に、コピーし直され、癖の付いた書類は破棄されることが多い。また、表紙体１０は損傷するまで繰り返し転用使用できるような強い
材質を用いられているが、表紙体１０が厚手で硬質であることから、この曲がり癖を平らに直すことは書類よりもなお困難で、曲がり癖の付いた表紙体１０は損傷する前に破棄されることが多い。ここに無駄がありエコでない。
（ハ）これらの変形をよく観察すると、００１０項に述べるように、直接の原因は表紙体下部にある余長（００８項及び図３参照）であることが分かった。では、下部余長＝０（すなわち綴じ具の位置を５ｍｍ下げること）にすると問題は解決するか、というとこの措置は図7（ロ）に示す新たな変形を呼び起こした。
（ニ）下部余長＝５ｍｍと下部余長＝０の間に、力学的に釣り合い、且つ書類の変形が小さくなる下部余長の長さがあるのではないか、と考えられることから、これを解決すべき課題とした。
【課題を解決するための手段】
【０００８】
現在市販のファイル（現行のファイル。本文書ではこれを表紙体１０と称する。綴じ具は表紙体の高さ方向の中央に取り付けられているもの。）寸法は、ＪＩＳ  Ｓ  ５５０５
事務用ファイル（フラットファイル）により規格化されている。これによると、表紙体１０の高さは用紙寸法タテ方向より１０ｍｍ（Ａ4-Ｅ  のみ16ｍｍ）大きくなっている。同規格には図２に示す解説図がある。日本規格協会によると、この解説図は規格ではなく、参考技術情報である、という。しかし、市場商品はこの図にならい、用紙寸法より上下に各々5ｍｍ（A4-Eでは各々8ｍｍ）づつ大きくなっている。その大きい部分が書類の上部、下部にそれぞれ余長１４（図３）となって突き出ている。
【０００９】
また、背幅の広いファイルの場合も上記の規格に倣っている。
【００１０】
現行のファイルの、書類目方の伝わり方は、以下のようである。
（イ）現行のファイルを棚板に立てると、綴じ側１１（図１）下辺では書類下端と棚板との間に余長a（５ｍｍ）の隙間がある（図２）。一方、開き側（図１）下辺では書類先端
が垂れ下がり棚板に接する。即ち、書類下辺は棚板に対して斜めになり、書類下辺と棚板の間には細い三角形の隙間が出来る。棚板に接するのは、開き側の先端部分で、ここに書類の過半の自重がかかることから、書類先端部は耐えることが出来ず、先端部が折れ曲がる。書類はある状態で釣り合いが成立するまで書類先端部は折れ曲がる。
（ロ）綴じ側（図１）では書類は綴じ棒１３（図５）で表紙体に支えられている。このために、書類の自重のうち（イ）で伝わった残りの部分が表紙体１０の背表紙部にかかる。（ハ）この目方が背表紙を開き側に傾かせる力となり、表紙体を綴じ側から開き側に向けて「ハ」の字形に開かせる原因になる。
（ニ）それでは、図２の下辺のa＝０にすればよいかというと、現実的には必ずしも十分
ではない。a＝０としたときの代表的な変形を図7（ロ）に示す。
【００１１】
（イ）本課題は、書類等の目方が表紙体に多く流れると表紙体が曲がり変形し、書類に多く流れると書類が曲がる、と考えられる。それぞれの負担量を規制することがポイントである。にも拘わらず、今までこのことは指摘されていない。
（ロ）０００７項（ニ）で述べた課題を解決するために、下部余長が何ｍｍの場合に力学的に釣り合い且つ書類の変形が少ないのかを求める実験を重ねた結果、綴じ具として、綴じ棒を通すパイプと綴じ棒とを備えた二穴式のＡ４Ｓ形またはＢ５Ｓ形ファイルにおいて、綴じ具中心を表紙体の高さ中央位置から３ｍｍ乃至２ｍｍ下げた位置に綴じ具を備えることで課題を解決した。
（ハ）ただし、幅の広いファイルに少ない書類が綴じられるときは、書類には面外方向の剛性が無いから、表紙体空間内で書類が面外方向に曲がり変形を生ずるのはやむを得ない。しかし、ある程度の書類量になると、本考案の効果は大きく効く。保存用に使うファイルは将にこの状態にある。
【考案の効果】
【００１２】
考案の効果の具体例を記す。
（イ）本考案のファイルを並べて書棚に立てておいても書類等の曲がり癖は殆ど付かない。従って、長期間綴じ込んだ書類でも、快適に再使用できる。この使用感の変化は著しい。
（ロ）曲がり癖の付いた書類は再コピーされて保存し、古いものは破棄される場合
にくらべると、書類に曲がり癖が殆ど付かないことは省資源効果が大きい。
（ハ）一方、表紙体１０にかかる書類の目方が現在の市場商品よりも大幅に減ることから、現在の商品よりも薄い材を使用できる。しかも、表紙体１０は曲がり癖がつきにくいことから、損傷するまで何回も転用使用が出来る、という資源節約効果も大きい。
【図面の簡単な説明】
【００１３】
【図１】ファイルの外観図である。
【図２】ＪＩＳ規格Ｓ５５０５−１９９４にある解説図
【図３】現状のファイルの見開き図
【図４】本考案の見開き図      図４では下部余長を１６で示し、現行の図３より小さくなっていることを示した。
【図５】ファイルの内開き概観図
【図６】綴じ具を横から見た図（本考案のポイントを図化したもの）  本考案は、現行の商品が表紙体の高さ中央と綴じ具中心を一致させているものを、綴じ具のみ３ｍｍ乃至２ｍｍ下げて取り付けることであるが、中心を分かりやすく図示することが難しいので、綴じ具のパイプ位置を下方へ移す図を示した。このことは、綴じ具中心を下げたことと等価である。
【図７】書類の変形図
【考案を実施するための形態】
【００１４】
以下、本考案の実施の形態について説明する。
【００１５】
本考案のポイントは、現行の表紙体１０の綴じ具位置を変えて綴じ具を表紙体に取り付けたファイルである。すなわち、
（イ）書類等の綴じ穴位置は現行のままで変えなくて良い。
（ロ）表紙体１０の高さ方向の中央にある綴じ具中心位置を下げて（３ｍｍ乃至２ｍｍ下げる）表紙体に取り付ける。（図４では下部余長を１６で示し、現行の図３より小さくなっていることを示した。）
【実施例１】
【００１６】
ここで００１５項（ロ）の効果を実証するためのテストの概要をＡ４−Ｓ形（５ｃｍ厚）ファイルを例に示す。
（イ）極めて正確にパンチされたモデルを作成し、綴じ具の位置が持つ影響を調べた。
（ロ）テストには現在流通している商品で、綴じ具中心が表紙体の高さ中央位置にあるもの、かつ最も多く流通しているパイプ外径５．１ｍｍのもので行った。
（ハ）当商品の綴じ具位置を下方に取り付け直すことは困難なので、これに代わって書類のパンチ位置を正確にずらせることで、綴じ具の移動と等価な状態をつくりだした。綴じ具を表紙体の高さ方向の中央位置より
５ｍｍ下げたものと等価なもの（ｄ５状態と記す）
４ｍｍ下げたものと等価なもの（ｄ４状態と記す）
３ｍｍ下げたものと等価なもの（ｄ３状態と記す）
２ｍｍ下げたものと等価なもの（ｄ２状態と記す）
１ｍｍ下げたものと等価なもの（ｄ１状態と記す）
について行った。
（ニ）なお、テストは１ｍｍ以下の寸法を扱うので、採寸にはノギスを用いた。
（ホ）書類は面外方向の剛性がないために、無理な力がかかるとすぐに曲げ、捩れ変形が発生する。書類の自重が素直に棚板に伝わるとき（即ち直立していることを示す）は、書類群の中央線は上部から下へ向かってほぼ垂直な直線になる。この長さの大小を見る。従って、書類中央線の直立度（垂直度と考えて良い）と書類全体の変形を判定の手がかりとした。
（へ）書類の直立度をはっきり認識できるように、綴じる白い用紙厚の中央部にカラー紙を２ｍｍ厚（２３枚）入れた。同時に、１ｃｍ厚毎にカラー紙２枚を入れて書類の厚み幅方向の変形差を観察できるようにした。これらを開き側の側面から見ると書類群に中央線が現れる。（これは図7（ハ）にやや荒い点線で示されている。）カラー紙を含めて厚み
５０ｍｍの用紙を十分にさばいた上で、Ａ４Ｓ形ファイルに綴じこむ。その後、表紙体ともどもにファイルに振動を与え、綴じ込みに伴う用紙のひずみを除去した。これを木製机に並べ、時間経過に伴う中央線の曲がり具合と書類全体の変形を観察した。なお、書類がファイルされた後も表紙体の足元が拡がらないように足元幅は製品寸法幅を維持している状態でテストした。書類変形の典型的な例を図7（ハ）に示した。
（ト）テスト結果は次の通りである。
図７−（イ）は通常のファイル商品に、書類は高さ方向の中央にパンチしたものの
ファイルである。
図７−（ロ）はｄ５状態のものである。
図７−（ハ）は図の左からｄ４〜ｄ1状態を示す。
以下、詳しく説明する。    
ｄ５状態  書類下辺は全て棚板に接するために、書類自重は表紙体に少しもかかっていな
い。書類は５ｃｍ厚の幅であり、モデルの表紙体内空間の幅は６．２６〜 
６．９１ｃｍある。従って、書類はその空間内で拡がり、書類は下方に滑り落
ちて下で溜まるような変形を起こす（図7（ロ））。ここに示した図は３年間
使用中のもののスケッチである。
ｄ４状態  パンチ穴径は６ｍｍ（これは規格で定められている）、パイプ外径は
５．１ｍｍ（これは規格では定められていない）であるから、穴にある余裕幅
は０．９ｍｍである。書類はパイプに支えられつつ下辺のほとんどが棚板に接
している状態と考えられる。当初は、書類下辺は棚板との摩擦のために、大き
い横滑りの変位は殆ど生じない（木製机の場合。この木製机を棚板と見做して
いる）。あたかも書類が突っ張っているかのように見え、書類が表紙体を支え
ている様子を示す。しかしこの突っ張り状態は時間とともに書類下辺が横滑り
を起こし、書類は曲がり変形に移行する。この状態になると、書類は表紙体に
支えられている状態に変わる。この状態になると書類中央線は傾斜し始める。ｄ１状態  綴じ側直下では、書類と棚板の間には隙間があり、書類の開き側先端では棚板
に接することから、ファイルを立てるとすぐにその先端が折れ曲がる。そして
時間とともに、書類下辺が横に滑り出し、書類が徐々に綴じ棒にぶら下がるか
のごとき曲げ変形を示す。書類の中央線は当初より傾斜する。
ｄ２状態  書類はｄ１状態よりはるかに直立し、書類各々は自分で立っているという様子
を示す。このファイルを机に立てた直後は、書類は直立していたが、日数がた
つと書類下辺が少し横に滑り出した。しかし、その変形は進行しなかった。そ
の変形はｄ１状態との比ではない。書類の中央線はほぼ垂直であるが、下辺近
くでは書類下辺が横滑りした分だけ曲がる。
ｄ３状態  このファイルを机に立てた直後から、書類各々は直立した。書類が自重を素直
に棚板に伝えている様子を示す。書類下辺の横滑りは見られない。従って、書
類の変形は日数がたっても殆ど生じない。書類の中央線もほぼ垂直である。
従って、ｄ３状態乃至ｄ２状態が望ましいことが実証できた。
【００１７】
図７の（イ）〜（ハ）はファイルの使用時に生じる書類の典型的な変形のスケッチである。
図７（イ）は通常の商品ファイルを通常に使用（書類の綴じ具位置は書類高さの中央位置にある）しているもので、使用暦は約１０年になる。従来はこのように変形癖の付いた書類を止むを得ないものとして使用していた。この変形はファイルをセット（用紙にパンチし、ファイルに綴じ、棚に立てる）した数日（約1週間）後から変形の兆候が現れ始め、
変形が進行する。そして、１０年たつとこのような大変形になる。
図７（ロ）は規格の下部の余長をゼロにするために、綴じ具位置を５ｍｍ下げたもので、使用暦は約３年である。（イ）のような大変形は殆どなくなったので、それなりに満足して使用していた。これは（イ）と比べると、格段に使用感が良かった。しかし、重要な書類が“裾”の部分で曲がることから、本考案が生まれた。この変形は、ファイルをセットすると、約２週間くらいから特徴的な変形の兆候が出はじめる。
図７（ハ）は００１６項（ト）のテスト状況である。この変形図はファイルをセットしてから約２．５ヵ月後の変形を示している。４ｍｍ、１ｍｍ下げたものは（イ）（ロ）と同じくセット後数日で特徴的な変形の兆候が現れはじめ、中央線も傾斜する。３ｍｍ、２ｍｍ下げたものには２．５ヶ月たっても中央線はほぼ垂直のままである。少なくとも、過去の変形（図7（イ）（ロ）の如きもの）の兆候が現れた日数をはるかに超えても、変形の
兆候が出ていない。
【００１８】
現在、一般に使用されているファイルは長期使用すると、図7（イ）に近い状態の変形
が予想されるが、綴じ具の位置により、意外と大きい書類の変形差が出ることを確認した。その解決手段として、綴じ具位置を現在の表紙体高さ方向の中央位置より３ｍｍ乃至２ｍｍ下げることを考案し、実証した。
【００１９】
このほかに、パイプ径４．９ｍｍのファイルについてもテストを行ったが同様の結果を得ている。
【符号の説明】
【００２０】
１０・・・表紙体
１１・・・表紙体の背表紙部
１２・・・綴じ具
１３・・・綴じ棒
１４・・・余長  （図２の上部aまたはd、及び下部aまたはd）
１６・・・余長  （図４の下部余長）
１７・・・表紙体背表紙のタテ方向断面
【図１】
0003175121.tif 000003
【図２】
0003175121.tif 000004
【図３】
0003175121.tif 000005
【図４】
0003175121.tif 000006
【図５】
0003175121.tif 000007
【図６】
0003175121.tif 000008
【図７】
0003175121.tif 000009